(57)【要約】【課題】空調装置の稼働状況を把握するための情報を収集する車両用空調装置の情報収集装置を提供する。【解決手段】入力コネクタ７を通じて入力される各信号に基づいて所定時間毎にデータ収集を行い、データ収集の度に収集データをその日時データと一緒にメモリ４に書き込み、このメモリ４に書き込まれたデータ量が所定量に達したときに所定量分のデータをカードリーダ９を通じてメモリカード１０に書き込むことができる。依って、空調装置の稼働状況、即ち、空調装置が何時どの様な条件下でどの様にして使用されているか等を把握するための情報を的確に収集して記録することができ、しかも、メモリカード１０を交換することで長期に亘った情報収集が可能である。【選択図】  図１
2004291780.tif 000002
【特許請求の範囲】
【請求項１】
空調装置の稼働状況を把握するために必要な信号を伝える複数の信号線が接続可能な信号入力手段と、
信号入力手段からの各入力信号に基づいて所定時間毎にデータの収集を行うデータ収集手段と、
収集データ記録用のメモリと、
データ収集の度に収集データをその日時データと一緒にメモリに書き込む第１のデータ書込手段と、
収集データ記録用のメモリカードと、
メモリに書き込まれたデータ量が所定量に達したときに所定量分のデータをメモリカードに書き込む第２のデータ書込手段とを備える、
ことを特徴とする車両用空調装置の情報収集装置。
【請求項２】
第２のデータ書込手段によるメモリカードへの所定量分のデータ書き込みを行う前に、メモリカードに記憶されている前回の書込データとメモリに残存している前回の書込データとを照合し、照合の結果、メモリカードに記憶されている前回の書込データにエラーが発見された場合にはそのエラーデータをメモリに書き込む第１のエラーデータ書込手段と、
メモリカードが交換される際に交換前のメモリカードにメモリに記憶されているエラーデータを書き込む第２のエラーデータ書込手段とを備える、
ことを特徴とする請求項１に記載の車両用空調装置の情報収集装置。
【請求項３】
データ受信装置からのケーブルが接続可能なデータ出力手段と、
収集データがその日時データと一緒にメモリに書き込まれるときに同じデータをデータ出力手段に送出するデータ送出手段とを備える、
ことを特徴とする請求項１または２に記載の車両用空調装置の情報収集装置。
【発明の詳細な説明】
【０００１】
【発明の属する技術分野】
本発明は、車両に搭載された空調装置の稼働状況を把握するための情報を収集して記録する情報収集装置に関する。
【０００２】
【従来の技術】
自動車等の車両に搭載される空調装置は、圧縮機，室外熱交換器，膨張手段，室内熱交換器を含む冷凍ユニットとそのコントロールユニットから構成されており、基本的には居室等の空調対象空間が設定温度に維持されるように圧縮機の動作をコントロールユニットによって制御している。空調装置の運転に必要な情報は冷凍ユニット構成機器等に設けた複数のセンサから得ており、各センサを通じて得た情報はコントロールユニットに取り込まれ圧縮機の動作制御等に利用されている。
【０００３】
【特許文献１】
特開２００２−２４８９３６号公報
【０００４】
【発明が解決しようとする課題】
前記空調装置において各センサを通じて得られる情報には内気温度や外気温度等が含まれているが、これらは何れも空調装置の運転に必要な情報であって、空調装置の稼働状況、即ち、空調装置が何時どの様な条件下でどの様にして使用されているか等を把握するための情報ではない。
【０００５】
自動車等の車両に搭載された空調装置は車両の種類や走行環境や走行目的等によって様々な稼働のされ方をするため、空調装置の評価及び改善を行うには空調装置の稼働状況を把握する必要がある。
【０００６】
本発明は前記事情に鑑みて創作されたもので、その目的とするところは、空調装置の稼働状況を把握するための情報を収集する車両用空調装置の情報収集装置を提供することにある。
【０００７】
【課題を解決するための手段】
前記目的を達成するため、本発明の車両用空調装置の情報収集装置は、空調装置の稼働状況を把握するために必要な信号を伝える複数の信号線が接続可能な信号入力手段と、信号入力手段からの各入力信号に基づいて所定時間毎にデータの収集を行うデータ収集手段と、収集データ記録用のメモリと、データ収集の度に収集データをその日時データと一緒にメモリに書き込む第１のデータ書込手段と、収集データ記録用のメモリカードと、メモリに書き込まれたデータ量が所定量に達したときに所定量分のデータをメモリカードに書き込む第２のデータ書込手段とを備える、ことをその特徴とする。
【０００８】
この情報収集装置によれば、信号入力手段からの各入力信号に基づいて所定時間毎にデータの収集を行い、データ収集の度に収集データをその日時データと一緒にメモリに書き込み、このメモリに書き込まれたデータ量が所定量に達したときに所定量分のデータをメモリカードに書き込むようにしているので、空調装置の稼働状況、即ち、空調装置が何時どの様な条件下でどの様にして使用されているか等を把握するための情報を的確に収集して記録することができ、しかも、メモリカードを交換することで長期に亘った情報収集が可能である。
【０００９】
本発明の前記目的とそれ以外の目的と、構成特徴と、作用効果は、以下の説明と添付図面によって明らかとなる。
【００１０】
【発明の実施の形態】
図１は本発明の一実施形態を示すもので、図１中の符号１は自動車用情報収集装置のユニットケース、２はマイクロコンピュータ構成の制御部、３は時計用クロック信号生成部、４はＳＲＡＭから成るメモリ、５は複数の操作キーを有するキースイッチ、６は液晶ディスプレイ、７は入力コネクタ、８は出力コネクタ、９はカードリーダ、１０はメモリカードである。
【００１１】
ユニットケース１は扁平直方体形状を成し、上面にはキースイッチ５及び液晶ディスプレイ６が配置されている。また、ユニットケース１の側面には、外部からの信号線またはケーブルの接続及び取り外しが可能なように入力コネクタ７と出力コネクタ８が配置されている。出力コネクタ８はパソコン等のデータ受信装置（図示省略）にデータ送信を行うものであるためＲＳ２３２ＣやＵＳＢ等の規格に準じたものが使用されている。さら、ユニットケース１内には、外部からのメモリカード１０の挿入及び抜き出しが可能なようにカードリーダ９が配置されている。
【００１２】
時計用クロック信号生成部３は時計用クロック信号を制御部２に送出し、制御部２はこのクロック信号を入力し日付及び時刻データとして使用する。このクロック信号生成部３は所定周波数のクロック信号を出力する回路の他に、ＪＪＹから発信される標準周波数を受信して出力する回路等が利用できる。メモリ４は後述する収集データを一時的に記憶する役割を果たし、制御部２からの読み書きを可能としている。このメモリ４は電池等により電源バックアップされていて、装置への電源入力が断たれてもその記憶内容は残るようになっている。
【００１３】
図示を省略したが、前記ユニットケース１には、直流電源入力端子と、直流電圧を変圧して制御部２やクロック信号生成部３やカードリーダ９等に供給する電源回路が設けられている。
【００１４】
また、図１中の符号１１は圧縮機の吸入圧力センサ、１２は圧縮機の吐出圧力センサ、１３は圧縮機の吸入温度センサ、１４は圧縮機の吐出温度センサ、１５は外気温度センサ、１６は内気温度センサ、１７はアキュムレータ温度センサ、１８はエンジンルーム温度センサ、１９は圧縮機温度センサ、２０は凝縮器温度センサ、２１〜３０は各センサ１１〜２０の信号線、２１は車速度信号を伝える信号線、２２はエンジン回転数信号を伝える信号線、２３は圧縮機オンオフ信号を伝える信号線であり、各センサ１３〜２０は周知の温度センサや圧力センサから成る。
【００１５】
自動車に搭載された空調装置の稼働状況を把握するための情報を得るときには、前記のユニットケース１を自動車の車室内に配置し、カードリーダ９にメモリカード１０を挿入し、直流電源入力端子に自動車のＩＧＮ電源を接続すると共に、入力コネクタ７に各信号線２１〜３３を接続する。
【００１６】
因みに、吸入圧力センサ１１は圧縮機の吸入口に配置され、吐出圧力センサ１２は圧縮機の吸入口に配置され、吸入温度センサ１３は圧縮機の吸入口に配置され、吐出温度センサ１４は圧縮機の吐出口に配置される。また、外気温度センサ１５はエンジンルームを除く位置で外気が触れる箇所に配置され、内気温度センサ１６は車室内に配置される。さらに、アキュムレータ温度センサ１７はアキュムレータの表面に配置され、エンジンルーム温度センサ１８はエンジンルーム内に配置され、圧縮機温度センサ１９は圧縮機の表面に配置され、凝縮器温度センサ２０は凝縮器の表面に配置される。さらに、車速度信号とエンジン回転数信号は自動車の速度計と回転数計への信号線から得ることができ、圧縮機オンオフ信号は空調装置のコントロールユニットの制御信号線から得ることができる。
【００１７】
以下に、前述の装置に依る情報収集方法について図２〜図４のフローチャートを参照して説明する。
【００１８】
前記装置は電源として自動車のＩＧＮ電源を使用している関係から、情報収集に係るプログラムはＩＧＮ電源のスイッチがオンになったときにスタートする。
【００１９】
スタート後は、まず、液晶ディスプレイ６等のハードウェアのテストを行い、テストによりエラーが検出された場合にはブザーやＬＥＤ等により異常の報知を行う（図２のステップＳ１〜Ｓ３）。ハードウェアのテスト中或いはテスト後にキースイッチ５の入力によってカード交換が選択された場合には、後に詳述するカード交換処理を行う（図２のステップＳ４，Ｓ５）。
【００２０】
液晶ディスプレイ６等のハードウェアのテストにエラーが検出されなかったときには、続いてメモリカード１０の残量チェックを行って、残量が所定量に満たない場合にはカード交換の喚起を液晶ディスプレイ６を通じて行い、また、メモリカード１０の残量が所定量以上であるときには液晶ディスプレイ６に残量表示を行う（図２のステップＳ６〜Ｓ９）。
【００２１】
この後は、図２のステップＳ１５でＩＧＮ電源のスイッチがオフになるまでデータ収集処理のルーチンに入る。
【００２２】
このデータ収集処理のルーチンは基本的にはデータ収集処理（図２のステップＳ１４）を所定時間毎、例えば１秒毎に行うものであるが、その過程ではキースイッチ５の入力有無のチェック（図２のステップＳ１０）と電源異常の有無のチェック（図２のステップＳ１１）とメモリカード１０の残量チェック（図２のステップＳ１２，Ｓ１３）を併せて行う。
【００２３】
前記ステップＳ１４におけるデータ収集処理は、図３に示すように、まず、各信号線２１〜３３から入力コネクタ７を通じて入力される各信号を必要に応じて制御部２でＡ／Ｄ変換してデータの収集を行い、収集されたデータをその日時データと一緒にメモリ４に書き込む（図３のステップＳＴ１，ＳＴ２）。これと同時に収集データをその日時データと一緒に出力コネクタ８に送出する（図３のステップＳＴ３）。依って、出力コネクタ８にパソコン等のデータ受信装置をケーブルを介して接続しておけば、収集データをデータ収集の度にデータ受信装置に取り込むこともできる。
【００２４】
この収集データのメモリ４への書き込みは、書き込みの繰り返しによってメモリ４に書き込まれたデータ量が所定量に達するまで、即ち、メモリカード１０の書き込み単位である１セクタ分、例えば５１２バイト等に達するまで繰り返される（図３のステップＳＴ４）。
【００２５】
そして、メモリ４に書き込まれたデータ量が所定量に達したときには、メモリカード１０へのデータ書き込みを行う前に、メモリカード１０に記憶されている前回の書込データとメモリ４に残存している前回の書込データを読み出してその照合を行い、照合の結果、メモリカード１０に記憶されている前回の書込データにエラーが発見された場合、例えば書込データの一部に欠損が発見された場合や書込データが一致していない場合にはその内容を含むエラーデータをメモリ４に書き込む（図３のステップＳＴ５〜ＳＴ７）。
【００２６】
続いて、前記の所定量分のデータを制御部２及びカードリーダ９を通じてメモリカード１０に書き込む（図３のステップＳＴ８）。ここでの書き込みはデータ移動ではなくデータ複写であり、メモリ４には今回書き込んだデータの他に、先のデータ照合のために前回書き込んだデータが少なくとも残存している。
【００２７】
メモリ４及びメモリカード１０へのデータ書き込みが完了したとき、また、メモリ４への書き込みデータ量が所定量に達していないとき、並びに、前記の照合においてエラーが発見されなかったときには、再び先に述べたデータ収集処理のルーチンに戻る。
【００２８】
データ収集処理を繰り返し行う途中でキースイッチ５の入力があったときにはキースイッチ５で選択された処理をその段階で実行する（図２のステップＳ１０，Ｓ１６）。例えば、キースイッチ５で「今回の収集データの表示」が選択された場合には、キースイッチ５が操作された時点での収集データを液晶ディスプレイ６に表示する。また、キースイッチ５で「メモリカードの記憶データを外部に送信」が選択された場合には、キースイッチ５が操作された時点でメモリカード１０に記憶されているデータ全てを出力コネクタ８に送出する。依って、出力コネクタ８にパソコン等のデータ受信装置をケーブルを介して接続しておけば、収集データをデータ受信装置に取り込むことができる。キースイッチ５で選択された処理が完了した後は再び先に述べたデータ収集処理のルーチンに戻る。
【００２９】
また、データ収集処理を繰り返し行う途中で電源電圧に異常を生じたときにはブザーやＬＥＤ等により異常の報知を行い、電源が復旧するまで待機する処置を行う（図２のステップＳ１１，Ｓ１７，Ｓ１８）。点検や修理等によって電源が復旧した後は再び先に述べたデータ収集処理のルーチンに戻る。
【００３０】
さらに、データ収集処理を繰り返し行う途中でメモリカード１０の残量が所定量に満たない状態となったときにはカード交換の喚起を液晶ディスプレイ６を通じて行い（図２のステップＳ１２，Ｓ１３，Ｓ１９）、また、メモリカード１０の残量が所定量以上であるときには液晶ディスプレイ６に残量表示を行うと共にメモリーカード１０に上書き中であることを液晶ディスプレイ６を通じて報知する。
【００３１】
前記ステップＳ５におけるカード交換処理は、図４に示すように、まず、カード交換を行うための所定のキー入力を待ち、キー入力があったときにはメモリ４に記憶されているエラーデータを交換前のメモリカード１０に書き込み、カード交換の完了を待つ（図４のステップＳＳ１〜ＳＳ３）。メモリカード１０の交換が完了した後は再び先に述べたデータ収集処理のルーチンに戻る。
【００３２】
このように前述の情報収集装置によれば、入力コネクタ７からの各入力信号に基づいて所定時間毎にデータの収集を行い、データ収集の度に収集データをその日時データと一緒にメモリ４に書き込み、このメモリ４に書き込まれたデータ量が所定量に達したときに所定量分のデータをカードリーダ９を通じてメモリカード１０に書き込むことができる。依って、空調装置の稼働状況、即ち、空調装置が何時どの様な条件下でどの様にして使用されているか等を把握するための情報を的確に収集して記録することができ、しかも、メモリカード１０を交換することで長期に亘った情報収集が可能である。
【００３３】
また、メモリカード１０には時間軸に従って収集データが書き込まれているので、このメモリカード１０を持ち帰って書込データを読み出すことによって、空調装置の稼働状況の把握を簡単に行うことができる。
【００３４】
さらに、メモリカード１０への所定量分のデータ書き込みが完了したときに、メモリカード１０に記憶されている前回の書込データとメモリ４に残存している前回の書込データとを照合し、照合の結果、メモリカード１０に記憶されている前回の書込データにエラーが発見された場合にはそのエラーデータをメモリ４に書き込むと共に、メモリカード１０が交換されたときに交換後のメモリカード１０にメモリ４に記憶されているエラーデータが書き込むようにしているので、メモリカード１０を持ち帰ってデータを読み出すときにこのメモリカード１０内のデータに係るエラー情報を同時に把握することができる。
【００３５】
さらに、収集データがその日時データと一緒にメモリ４に書き込まれるときに同じデータを出力コネクタ８に送出するようにしているので、出力コネクタ８にパソコン等のデータ受信装置をケーブルを介して接続しておけば、収集データをデータ収集の度にデータ受信装置に取り込むこともできる。
【００３６】
【発明の効果】
以上詳述したように、本発明によれば、信号入力手段からの各入力信号に基づいて所定時間毎にデータの収集を行い、データ収集の度に収集データをその日時データと一緒にメモリに書き込み、このメモリに書き込まれたデータ量が所定量に達したときに所定量分のデータをメモリカードに書き込むようにしているので、空調装置の稼働状況、即ち、空調装置が何時どの様な条件下でどの様にして使用されているか等を把握するための情報を的確に収集して記録することができ、しかも、メモリカードを交換することで長期に亘った情報収集が可能である。
【図面の簡単な説明】
【図１】図１は本発明の一実施形態を示す自動車用情報収集装置の構成図
【図２】図１に示した装置に依る情報収集に係るフローチャート
【図３】図２に示したデータ収集処理に係るフローチャート
【図４】図２に示したカード交換処理に係るフローチャート
【符号の説明】
１…ユニットケース、２…制御部、３…クロック信号生成部、４…メモリ、５キースイッチ、６…液晶ディスプレイ、７…入力コネクタ、８…出力コネクタ、９…カードリーダ、１０…メモリカード、１１〜２０…センサ、２１〜３３…信号線。
【図１】
2004291780.tif 000003
【図２】
2004291780.tif 000004
【図３】
2004291780.tif 000005
【図４】
2004291780.tif 000006